(57)【要約】【課題】スキャンデータをストレージサーバ等に送信する際の操作性を向上させるとともに、スキャンデータの誤送信を防止するための技術を提供する。【解決手段】携帯電話１０を、会社のＭＦＰ５０若しくは、自宅のＭＦＰ５１に接近させるだけで、各々のＭＦＰにおいて、スキャン処理が実行される。そして、会社のＭＦＰと自宅のＭＦＰとの何れの装置により、スキャン処理が実行されたかが判断され、会社のＭＦＰにおいてスキャン処理が行われたと判断された場合には、会社のＭＦＰに対応して設定されている第１のストレージサーバ８２に、スキャンデータが自動で送信される。これにより、スキャンデータの送信先を選択する必要が無くなり、操作性が向上する。また、ユーザによるスキャンデータの送信先の誤選択を無くすことが可能となる。【選択図】図１
2015084472.tif 000002
【特許請求の範囲】
【請求項１】
通信範囲内に存在する第１のスキャン装置と第２のスキャン装置との一方と、近接無線通信規格に従った近接無線通信を行う近接無線通信部を備える携帯端末のコンピュータが読み取り可能なプログラムであって、
前記第１のスキャン装置と前記第２のスキャン装置との一方にスキャン指令を送信するための情報を出力するスキャン指令出力手段と、
前記第１のスキャン装置と前記第２のスキャン装置との一方との間で前記近接無線通信が確立した場合に、前記第１のスキャン装置と前記第２のスキャン装置との何れが前記スキャン指令の送信先であるかを判断する送信先判断手段と、
前記送信先判断手段によって前記第１のスキャン装置が前記スキャン指令の送信先と判断された場合に、前記スキャン指令に従ったスキャン処理により生成されたスキャン情報を、前記第１のスキャン装置に対応して設定されている第１のストレージサーバに記憶させるための処理を行う第１処理実行手段と、
して前記コンピュータを機能させることを特徴とするプログラム。
【請求項２】
前記第１処理実行手段は、
前記スキャン情報の前記第１のストレージサーバへの送信指令を前記第１のスキャン装置に送信するための情報を出力することで、前記スキャン情報を前記第１のストレージサーバに記憶させるための処理を行うことを特徴とする請求項１に記載のプログラム。
【請求項３】
前記第１処理実行手段は、
前記スキャン情報を前記第１のスキャン装置から取得した場合に、受信した前記スキャン情報を前記携帯端末の記憶部に記憶させ、
前記記憶部が記憶した前記スキャン情報を前記第１のストレージサーバに送信するための情報を出力し、
かつ、
前記スキャン情報を前記第１のストレージサーバに送信するための情報を出力した場合に、前記記憶部が記憶した前記スキャン情報を無効化することで、前記スキャン情報を前記第１のストレージサーバに記憶させるための処理を行うことを特徴とする請求項１または２に記載のプログラム。
【請求項４】
前記第１のスキャン装置と前記第２のスキャン装置との一方との間で前記近接無線通信が確立した場合に、前記第１のストレージサーバに前記スキャン情報を送信するために必要な送信情報の前記携帯端末への送信要求を前記近接無線通信が確立したスキャン装置に送信するための情報を出力する送信要求出力手段と、
して前記コンピュータを機能させ、
前記送信先判断手段は、
前記送信要求の返信として前記送信情報を受信した場合に、前記第１のスキャン装置が前記スキャン指令の送信先であると判断し、前記送信要求の返信として前記送信情報を受信しなかった場合に、前記第２のスキャン装置が前記スキャン指令の送信先であると判断することを特徴とする請求項３に記載のプログラム。
【請求項５】
前記送信要求の返信として前記送信情報を受信した場合に、受信した前記送信情報を前記携帯端末の記憶部に記憶させる送信情報記憶制御手段と、
前記送信情報の送信元であるスキャン装置から取得した前記スキャン情報を前記第１のストレージサーバに記憶させるための処理を、前記送信情報記憶制御手段が記憶させた前記送信情報を用いて、前記第１処理実行手段が行った場合に、前記記憶部が記憶している前記送信情報を無効にする送信情報無効化手段と、
して前記コンピュータを機能させることを特徴とする請求項４に記載のプログラム。
【請求項６】
人工衛星からの信号を受信し、受信した信号に基づいて前記携帯端末の位置を取得する携帯端末位置取得手段と
して前記コンピュータを機能させ、
前記送信先判断手段は、
前記第１のスキャン装置の位置を示す情報および前記第２のスキャン装置の位置を示す情報のうち前記携帯端末の記憶部が記憶している少なくともいずれかの情報と、前記第１のスキャン装置と前記第２のスキャン装置との一方との間で前記近接無線通信が確立している際に前記携帯端末位置取得手段によって取得された前記携帯端末の位置と、を比較することで、前記第１のスキャン装置と前記第２のスキャン装置との何れが前記スキャン指令の送信先であるかを判断することを特徴とする請求項１ないし５の何れか１項に記載のプログラム。
【請求項７】
前記携帯端末は、
前記近接無線通信部による前記近接無線通信より通信距離の長い長距離無線通信を行う長距離無線通信部を備え、
前記第１のスキャン装置と前記第２のスキャン装置との各々に設定され、その各々と前記長距離無線通信部を介して前記長距離無線通信を行うために必要な識別情報を、前記近接無線通信部を介して取得する識別情報取得手段と、
して前記コンピュータを機能させ、
前記送信先判断手段は、
前記第１のスキャン装置と長距離無線通信を行うために必要な情報および前記第２のスキャン装置と長距離無線通信を行うために必要な情報のうち前記携帯端末の記憶部が記憶している少なくともいずれかの情報と、前記第１のスキャン装置と前記第２のスキャン装置との一方との間で前記近接無線通信が確立している際に前記識別情報取得手段によって取得された前記識別情報と、を比較することで、前記第１のスキャン装置と前記第２のスキャン装置との何れが前記スキャン指令の送信先であるかを判断することを特徴とする請求項１ないし６の何れか１項に記載のプログラム。
【請求項８】
前記送信先判断手段によって前記第２のスキャン装置が前記スキャン指令の送信先と判断された場合に、前記スキャン情報を前記第２のスキャン装置から取得し、取得した前記スキャン情報を前記第２のスキャン装置に対応して設定されている第２のストレージサーバに送信するための情報を出力する送信処理、若しくは、前記スキャン情報を前記第２のスキャン装置から取得し、取得した前記スキャン情報を前記携帯端末の記憶部に記憶するための情報を出力する記憶処理を行う第２処理実行手段と、
して前記コンピュータを機能させることを特徴とする請求項１ないし７の何れか１項に記載のプログラム。
【請求項９】
前記携帯端末は、
画像を表示する表示部を備え、
前記送信先判断手段によって前記第２のスキャン装置が前記スキャン指令の送信先と判断された場合に、前記送信処理と前記記憶処理との何れかの処理を選択するための選択画像を前記表示部に表示させるための画像表示情報を出力し、前記送信先判断手段によって前記第１のスキャン装置が前記スキャン指令の送信先と判断された場合に、前記画像表示情報を出力しない画像表示手段と、
して前記コンピュータを機能させ、
前記第２処理実行手段は、
前記送信処理と前記記憶処理とのうち、前記画像表示手段が前記選択画像を表示させた後に選択された処理を行うことを特徴とする請求項８に記載のプログラム。
【請求項１０】
通信範囲内に存在する第１のスキャン装置と第２のスキャン装置との一方と、近接無線通信規格に従った近接無線通信を行う近接無線通信部と、
プロセッサと、
を備える携帯端末であって、
前記プロセッサは、
前記第１のスキャン装置と前記第２のスキャン装置との一方にスキャン指令を送信するための情報を出力するスキャン指令出力手段と、
前記第１のスキャン装置と前記第２のスキャン装置との一方との間で前記近接無線通信が確立した場合に、前記第１のスキャン装置と前記第２のスキャン装置との何れが前記スキャン指令の送信先であるかを判断する送信先判断手段と、
前記送信先判断手段によって前記第１のスキャン装置が前記スキャン指令の送信先と判断された場合に、前記スキャン指令に従ったスキャン処理により生成されたスキャン情報を、前記第１のスキャン装置に対応して設定されている第１のストレージサーバに記憶させるための処理を行う第１処理実行手段と、
して機能することを特徴とする携帯端末。
【発明の詳細な説明】
【技術分野】
【０００１】
本発明は、スキャン装置にスキャン指令を送信する携帯端末のプログラムおよび、携帯端末に関する。
【背景技術】
【０００２】
近年、スキャン装置によって生成されたスキャンデータを、ストレージサーバ等に送信し、ストレージサーバ等で管理するための技術が開発されている。下記特許文献には、そのような技術の一例が記載されている。
【先行技術文献】
【特許文献】
【０００３】
【特許文献１】特開２００４−８６７３１号公報
【発明の概要】
【発明が解決しようとする課題】
【０００４】
しかしながら、上記特許文献に記載の技術には次のような問題があった。詳しくは、スキャンデータをストレージサーバ等に送信する際に、送信先のストレージサーバ等を選択する必要があり、操作性が低い。また、送信先のストレージサーバ等を選択する際に誤った送信先を選択する場合があり、そのような場合には、情報が流出する虞がある。本発明は、そのような事情に鑑みてなされたものであり、スキャンデータをストレージサーバ等に送信する際の操作性を向上させるとともに、スキャンデータの誤送信を防止するための技術を提供する。
【課題を解決するための手段】
【０００５】
上記課題を解決するために、本明細書の実施形態として記載のプログラムは、通信範囲内に存在する第１のスキャン装置と第２のスキャン装置との一方と、近接無線通信規格に従った近接無線通信を行う近接無線通信部を備える携帯端末のコンピュータが読み取り可能なプログラムであって、前記第１のスキャン装置と前記第２のスキャン装置との一方にスキャン指令を送信するための情報を出力するスキャン指令出力手段と、前記第１のスキャン装置と前記第２のスキャン装置との一方との間で前記近接無線通信が確立した場合に、前記第１のスキャン装置と前記第２のスキャン装置との何れが前記スキャン指令の送信先であるかを判断する送信先判断手段と、前記送信先判断手段によって前記第１のスキャン装置が前記スキャン指令の送信先と判断された場合に、前記スキャン指令に従ったスキャン処理により生成されたスキャン情報を、前記第１のスキャン装置に対応して設定されている第１のストレージサーバに記憶させるための処理を行う第１処理実行手段と、して前記コンピュータを機能させることを特徴とする。
【発明の効果】
【０００６】
本明細書の実施形態として記載の携帯端末のプログラム、および、携帯端末では、携帯端末を、第１のスキャン装置若しくは、第２のスキャン装置のうちいずれかに接近させるだけで、第１のスキャン装置若しくは、第２のスキャン装置において、スキャン処理が実行され、第１のスキャン装置に接近させた場合には、第１のスキャン装置に対応して設定されている第１のストレージサーバに、スキャンデータが自動で送信される。これにより、携帯端末を第１のスキャン装置に接近させるだけで、スキャンデータを確実に第１のストレージサーバに送信できるので、操作性がよく、かつ、ユーザによるスキャンデータの送信先の誤選択を無くすことが可能となるため、安全である。
【０００７】
本明細書の実施形態として記載の携帯端末のプログラム等では、携帯端末からの指令により、第１のスキャン装置によって生成されたスキャンデータを、第１のスキャン装置から、携帯端末を介することなく、第１のストレージサーバに送信することが可能となる。これにより、第１のスキャン装置とも第１のストレージサーバとも異なる装置と接続する可能性が高い携帯端末にスキャンデータが残ることが無いため、安全である。
【０００８】
本明細書の実施形態として記載の携帯端末のプログラム等では、第１のスキャン装置によって生成されたスキャンデータを、携帯端末を介して、第１のストレージサーバに送信しても、携帯端末にスキャンデータが残ることが無いため、安全である。
【０００９】
本明細書の実施形態として記載の携帯端末のプログラム等では、第１のストレージサーバにスキャンデータを送信するために必要な送信情報をスキャン装置から受信した場合に、第１のスキャン装置においてスキャン処理が実行されたと判断し、送信要求の返信として送信情報を受信しなかった場合に、第２のスキャン装置においてスキャン処理が実行されたと判断することが可能である。これにより、携帯端末を第１のスキャン装置に接近させたときに、送信情報を用いてスキャンデータを第１のストレージサーバに送信できるので、確実、かつ安全である。
【００１０】
本明細書の実施形態として記載の携帯端末のプログラム等では、受信した送信情報が、一旦、記憶部に記憶されるが、送信情報を用いて、スキャンデータが第１のストレージサーバに送信された後に、送信情報を無効化することが可能である。これにより、送信情報の機密性を担保することが可能となり、安全である。
【００１１】
本明細書の実施形態として記載の携帯端末のプログラム等では、第１のスキャン装置の位置を示す情報および第２のスキャン装置の位置を示す情報の何れかと、近接無線通信が確立している際に取得された携帯端末の位置とを比較することで、スキャン処理を実行したスキャン装置を判断することが可能である。これにより、ＧＰＳ機能を利用して、確実に、スキャン処理を実行したスキャン装置を判断することが可能となり、安全である。
【００１２】
本明細書の実施形態として記載の携帯端末のプログラム等では、予め記憶されている、第１のスキャン装置と長距離無線通信を行うために必要な識別情報および第２のスキャン装置と長距離無線通信を行うために必要な識別情報の何れかと、近接無線通信が確立している際に取得された識別情報とを比較することで、スキャン処理を実行したスキャン装置を判断することが可能である。これにより、識別情報を利用して、確実に、スキャン処理を実行したスキャン装置を判断することが可能となり、安全である。
【００１３】
本明細書の実施形態として記載の携帯端末のプログラム等では、第２のスキャン装置においてスキャン処理が実行されたと判断された場合に、スキャンデータを第２のスキャン装置から取得し、取得したスキャンデータを第２のスキャン装置に対応して設定されている第２のストレージサーバに送信する送信処理、若しくは、取得したスキャンデータを記憶部に記憶する記憶処理を行うことが可能である。これにより、例えば、第２のスキャン装置が自宅に配設されているような場合には、自宅で取得したスキャンデータを、ユーザは任意に取り扱うことが可能となる。
【００１４】
本明細書の実施形態として記載の携帯端末のプログラム等では、第２のスキャン装置においてスキャン処理が実行されたと判断された場合に、送信処理と記憶処理との何れかの処理を選択するための選択画像を表示部に表示させ、選択画像の表示により選択された処理を行うことが可能である。また、第１のスキャン装置においてスキャン処理が実行されたと判断された場合に、選択画像を表示部に表示させないことが可能である。これにより、第１のスキャン装置でスキャン処理が行われた場合には、自動で、スキャンデータを第１のストレージサーバに送信し、第２のスキャン装置でスキャン処理が行われた場合には、スキャンデータを、ユーザが任意に取り扱うことが可能となり、利便性が高い。
【図面の簡単な説明】
【００１５】
【図１】通信システム１のブロック図である。
【図２】第１実施形態の携帯電話１０の動作フローチャートを示す図である。
【図３】第１実施形態の携帯電話１０の動作フローチャートを示す図である。
【図４】第２実施形態の携帯電話１０の動作フローチャートを示す図である。
【図５】第２実施形態の携帯電話１０の動作フローチャートを示す図である。
【発明を実施するための形態】
【００１６】
＜第１実施形態＞
図１に、本願に係る実施形態として例示される通信システム１のブロック図を示す。通信システム１は、携帯電話１０、ＭＦＰ（Multifunction Peripheralの略）５０、ＭＦＰ５１、第１アクセスポイント８０、第２アクセスポイント８１、第１ストレージサーバ８２、第２ストレージサーバ８３、基地局８４を備える。携帯電話１０、および、ＭＦＰ５０，５１は、無線ＬＡＮ端末装置としての機能を備える。また、ＭＦＰ５０，５１は、プリンタ機能、スキャナ機能、コピー機能、ファクシミリ機能などを備える多機能周辺装置である。第１アクセスポイント８０および第２アクセスポイント８１は、無線ＬＡＮアクセスポイントとしての機能を備える。第１ストレージサーバ８２および第２ストレージサーバ８３は、各種データを記憶するためのサーバである。また、第１ストレージサーバ８２は、第１アクセスポイント８０に接続されており、第１アクセスポイント８０を介して、外部装置から送信されたデータを記憶する。一方、第２ストレージサーバ８３は、基地局８４に接続されており、基地局８４を介して、外部装置から送信されたデータを記憶する。
【００１７】
なお、ＭＦＰ５０および、第１アクセスポイント８０は、会社に配設されており、第１アクセスポイント８０に接続されている第１ストレージサーバ８２は、会社において管理されている。一方、ＭＦＰ５１および、第２アクセスポイント８１は自宅に配設されている。また、第２ストレージサーバ８３は、ネットワーク上で事業者によって提供されるものである。
【００１８】
携帯電話１０の構成について説明する。携帯電話１０は、ＣＰＵ（Central Processing Unitの略）１２、記憶部１４、ＧＰＳ信号受信部１５、携帯電話通信Ｉ／Ｆ１６、無線ＬＡＮＩ／Ｆ１８、ＮＦＣＩ／Ｆ２０、パネル２２、ボタン入力部２４、スピーカ２８、マイク３０を主に備えている。これらの構成要素は、入出力ポート３１を介して互いに通信可能とされている。
【００１９】
無線ＬＡＮＩ／Ｆ１８は、ＩＥＥＥの８０２．１１の規格およびそれに準ずる規格に基づいて、Ｗｉ-Ｆｉ (R)（ＢＬＵＥＴＯＯＴＨ  ＳＩＧ，ＩＮＣ．の登録商標）方式（ＷＦ方式と略して記載する場合もある）の無線通信９０を行うことが可能とされている。すなわち、携帯電話１０は、第１アクセスポイント８０へアクセスし、ＷＦ方式の無線通信９０を行える状態になれば、第１アクセスポイント８０を介して、ＭＦＰ５０とデータ通信することが可能になり、第２アクセスポイント８１へアクセスし、ＷＦ方式の無線通信９０を行える状態になれば、第２アクセスポイント８１を介して、ＭＦＰ５１とデータ通信することが可能になる。なお、第１アクセスポイント８０には、第１ストレージサーバ８２が接続されていることから、携帯電話１０は、ＷＦ方式の無線通信９０を行える状態になれば、第１ストレージサーバ８２と、第１アクセスポイント８０を介して、データ通信することが可能になる。
【００２０】
また、無線ＬＡＮＩ／Ｆ１８は、ＩＥＥＥの８０２．１１の規格およびそれに準ずる規格に基づいて、Ｗｉ-Ｆｉダイレクト方式（ＷＦＤ方式と略して記載する場合もある）の無線通信９２を行うことが可能とされている。すなわち、携帯電話１０は、ＭＦＰ５０が備えるアクセスポイントへアクセスし、ＷＦＤ方式の無線通信９２を行える状態になれば、ＭＦＰ５０と直接、データ通信することが可能になり、ＭＦＰ５１が備えるアクセスポイントへアクセスし、ＷＦＤ方式の無線通信９２を行える状態になれば、ＭＦＰ５１と直接、データ通信することが可能になる。
【００２１】
ＮＦＣＩ／Ｆ２０は、ＩＳＯ／ＩＥＣ２１４８１またはＩＳＯ／ＩＥＣ１８０９２の国際標準規格に基づいて、ＮＦＣ方式の無線通信９４を行うことが可能とされている。すなわち、携帯電話１０は、ＮＦＣ方式の無線通信９４を行える状態になれば、ＭＦＰ５０若しくは、ＭＦＰ５１と直接、データ通信することが可能になる。ただし、ＮＦＣ方式の無線通信９４では、ＷＦ方式の無線通信９０およびＷＦＤ方式の無線通信９２と比較して、通信距離が短く、通信速度は遅い。
【００２２】
携帯電話通信Ｉ／Ｆ１６は、基地局８４との間で携帯電話通信方式の無線通信９６を行うことが可能とされている。すなわち、携帯電話１０は、携帯電話通信方式の無線通信９６を行える状態になれば、第２ストレージサーバ８３と、基地局８４を介して、データ通信することが可能になる。
【００２３】
ＣＰＵ１２は、記憶部１４内のプログラム３２に従って処理を実行する。スキャンアプリケーション３２ａなど、プログラムを実行するＣＰＵ１２のことを、単にプログラム名でも記載する場合がある。例えば、「スキャンアプリケーション３２ａが」という記載は、「スキャンアプリケーション３２ａを実行するＣＰＵ１２が」ということを意味する場合がある。なお、記憶部１４は、ＲＡＭ（Random Access Memoryの略）、ＲＯＭ（Read Only Memoryの略）、フラッシュメモリー、ＨＤＤ（ハードディスクの略）、ＣＰＵ１２が備えるバッファなどが組み合わされて構成されている。
【００２４】
記憶部１４は、プログラム３２を記憶する。プログラム３２は、スキャンアプリケーション３２ａ、オペレーティングシステム３２ｂ（ＯＳ３２ｂと略して記載する場合もある）を含む。スキャンアプリケーション３２ａは、ＭＦＰ５０若しくは、ＭＦＰ５１によるスキャン処理を、ＣＰＵ１２に実行させるためのアプリケーションである。記憶部１４は、コンピュータが読み取り可能なストレージ媒体であってよい。コンピュータが読み取り可能なストレージ媒体とは、ＲＯＭ、ＲＡＭ、フラッシュメモリー、ハードディスクなどのnon-transitoryな媒体である。インターネット上のサーバなどからダウンロードされるプログラムを搬送する電気信号は、non-transitoryな媒体には含まれない。
【００２５】
オペレーティングシステム３２ｂは、スキャンアプリケーション３２ａに利用される基本的な機能を提供するプログラムである。ＯＳ３２ｂは、携帯電話通信Ｉ／Ｆ１６、無線ＬＡＮＩ／Ｆ１８、ＮＦＣＩ／Ｆ２０を介して無線通信９０，９２，９４，９６を実行させるためのプログラム、および、記憶部１４，パネル２２，ボタン入力部２４などを制御するプログラムなどを含む。
【００２６】
また、記憶部１４は、データ記憶領域１４ａを備える。データ記憶領域１４ａは、スキャンアプリケーション３２ａを実行するための各種データを記憶する領域である。スキャンアプリケーション３２ａは、ＯＳ３２ｂを介して、各種データをデータ記憶領域１４ａに記憶させるためのデータを出力する。若しくは、スキャンアプリケーション３２ａは、ＯＳ３２ｂを介して、データ記憶領域１４ａが記憶している各種データ等を取得する。
【００２７】
ＧＰＳ信号受信部１５は、ＧＰＳ衛星９８からの信号を受信する。ＯＳ３２ｂは、その受信した信号に基づいて、携帯電話１０の位置を演算する。スキャンアプリケーション３２ａは、ＯＳ３２ｂを介して、演算された携帯電話１０の位置に関するデータを取得する。
【００２８】
パネル２２は、携帯電話１０の各種機能を表示する表示面を備える。スキャンアプリケーション３２ａは、表示用の画像データを出力し、画像データに基づく画像を、ＯＳ３２ｂを介してパネル２２に表示させる。
【００２９】
ボタン入力部２４は、タッチセンサを有し、パネル２２と一体的に構成されており、入力媒体のパネル２２への接近・接触を検出し、ユーザによるボタン操作を受け付ける。スキャンアプリケーション３２ａは、ＯＳ３２ｂを介して、ユーザによるボタン操作内容を示すデータを取得する。
【００３０】
次に、ＭＦＰ５０およびＭＦＰ５１の構成について説明する。ただし、ＭＦＰ５０とＭＦＰ５１とは、略同じ構成であるため、ＭＦＰ５０の構成を代表して説明する。ＭＦＰ５０は、ＣＰＵ５２、記憶部５４、パネル５６、ボタン入力部５８、プリンタ６０、スキャナ６２、モデム６４、電話回線接続部６６、無線ＬＡＮＩ／Ｆ６８、ＮＦＣＩ／Ｆ７０を主に備えている。これらの構成要素は、入出力ポート７１を介して互いに通信可能とされている。
【００３１】
無線ＬＡＮＩ／Ｆ６８は、ＩＥＥＥの８０２．１１の規格およびそれに準ずる規格に基づいて、ＷＦ方式の無線通信９０を行う。また、無線ＬＡＮＩ／Ｆ６８は、ＩＥＥＥの８０２．１１の規格およびそれに準ずる規格に基づいて、ＷＦＤ方式の無線通信９２を行う。ＮＦＣＩ／Ｆ７０は、ＩＳＯ／ＩＥＣ２１４８１またはＩＳＯ／ＩＥＣ１８０９２の国際標準規格に基づいて、ＮＦＣ方式の無線通信９４を行う。
【００３２】
ＣＰＵ５２は、記憶部５４内のプログラム７２に従って処理を実行する。プログラム７２を実行するＣＰＵ５２のことを、単にプログラム名でも記載する場合がある。例えば、「プログラム７２が」という記載は、「プログラム７２を実行するＣＰＵ５２が」ということを意味する場合がある。
【００３３】
記憶部５４は、データ記憶領域７４を備える。データ記憶領域７４は、プリンタ６０，スキャナ６２等の作動を制御する際に用いられる各種データを記憶する領域である。
【００３４】
パネル５６は、ＭＦＰ５０の各種機能を表示する表示面を備える。ボタン入力部５８は、タッチセンサを有し、パネル５６と一体的に構成されており、入力媒体のパネル５６への接近・接触を検出し、ユーザによるボタン操作を受け付ける。
【００３５】
プリンタ６０は、印刷を実行する部位である。スキャナ６２は、スキャンを実行する部位である。モデム６４は、ファクシミリ機能によって送信する原稿データを、電話回線網７３に伝送可能な信号に変調して電話回線接続部６６を介して送信したり、電話回線網７３から電話回線接続部６６を介して入力された信号を受信し、原稿データを復調するものである。
【００３６】
ここで、「データ」および「情報」の文言の定義を説明する。本明細書では、「データ」と「情報」では「情報」を「データ」の上位概念として用いている。そのため、「Ａデータ」を「Ａ情報」と言い換えてもよい。また、「情報」は、「データ」としての形式（例えば、テキスト形式、バイナリ形式、フラグ形式等）が異なっていても、同一の意味内容と認識される限り、同一の情報として取り扱われる。例えば、印刷部数が２部であることを示す情報として装置が扱う限り、"COPY=2"というテキスト形式のデータと、"10"というバイナリ形式のデータとは、同じ情報である。
【００３７】
＜携帯電話を用いたＭＦＰによるスキャン処理＞
通信システム１では、携帯電話１０をＭＦＰ５０若しくは、ＭＦＰ５１に接近させるだけで、ＭＦＰ５０若しくは、ＭＦＰ５１によるスキャン処理を実行することが可能となっている。この際、携帯電話１０をＭＦＰ５０若しくは、ＭＦＰ５１に接近させて、ＮＦＣ方式の無線通信９４を確立させ、ＮＦＣ方式の無線通信９４を利用したスキャン処理が行われる。そして、スキャン処理により生成されたスキャンデータを、第１ストレージサーバ８２、第２ストレージサーバ８３、若しくは、携帯電話１０に記憶させることが可能となっている。この際、ＷＦ方式の無線通信９０、ＷＦＤ方式の無線通信９２等を利用したスキャンデータの送受信が行われる。
【００３８】
携帯電話１０をＭＦＰ５０に接近させて、ＭＦＰ５０にスキャン処理を実行させる手法と、携帯電話１０をＭＦＰ５１に接近させて、ＭＦＰ５１にスキャン処理を実行させる手法とは同じであるため、携帯電話１０をＭＦＰ５０に接近させて、ＭＦＰ５０にスキャン処理を実行させる手法について説明する。まず、ユーザは、携帯電話１０をＭＦＰ５０のＮＦＣＩ／Ｆ７０に近づける。携帯電話１０のＭＦＰ５０への接近により、携帯電話１０とＭＦＰ５０との距離が、ＮＦＣ方式の無線通信９４の通信範囲内となると、携帯電話１０とＭＦＰ５０との間で、ＮＦＣ方式の初期シーケンス処理が実行され、ＮＦＣ方式の無線通信９４が確立する。
【００３９】
ＮＦＣ方式の無線通信９４が確立すると、その無線通信９４を用いて、ＷＦ方式の無線通信９０若しくは、ＷＦＤ方式の無線通信９２を確立するための接続情報が、携帯電話１０とＭＦＰ５０との間で送受信される。これは、ＷＦ方式の無線通信９０およびＷＦＤ方式の無線通信９２は、ＮＦＣ方式の無線通信９４より高速でデータの送受信を行うことが可能であり、スキャンデータの送受信は、ＷＦ方式の無線通信９０若しくはＷＦＤ方式の無線通信９２により行うことが好ましいためである。なお、ＮＦＣ方式の無線通信９４を利用して、ＮＦＣ方式よりも高速でデータの送受信を行うことが可能なＷＦ方式の無線通信９０若しくはＷＦＤ方式の無線通信９２に切り換える処理は、ハンドオーバ処理と呼ばれている。以下に、ハンドオーバ処理の実行について詳しく説明する。
【００４０】
ＷＦ方式の無線通信９０および、ＷＦＤ方式の無線通信９２を確立するための接続情報としては、例えば、ＳＳＩＤ（Service Set IDentifierの略）が挙げられ、ＳＳＩＤが携帯電話１０とＭＦＰ５０との間で、ＮＦＣ方式の無線通信９４を利用して、送受信される。つまり、ＮＦＣ方式の無線通信９４が確立すると、まず、携帯電話１０の無線ＬＡＮ  Ｉ／Ｆ１８が使用するＳＳＩＤが、ＮＦＣ方式の無線通信９４によって携帯電話１０からＭＦＰ５０に送信される。
【００４１】
携帯電話１０のＳＳＩＤがＭＦＰ５０の使用しているＳＳＩＤと同じである場合には、ＭＦＰ５０のＳＳＩＤとＩＰアドレスが、ＮＦＣ方式の無線通信９４によって、ＭＦＰ５０から携帯電話１０に送信される。そして、ＷＦ方式の無線通信９０若しくは、ＷＦＤ方式の無線通信９２が、携帯電話１０とＭＦＰ５０との間で確立される。一方、携帯電話１０のＳＳＩＤがＭＦＰ５０の使用しているＳＳＩＤと同じでない場合には、ＭＦＰ５０のアクセスポイントにアクセスしＷＦＤ方式の無線通信９２を確立するためのＳＳＩＤおよび、パスワードが、ＮＦＣ方式の無線通信９４によってＭＦＰ５０から携帯電話１０に送信される。そして、携帯電話１０は、ＭＦＰ５０のＳＳＩＤに基づいて、ＭＦＰ５０との間でＷＦＤ方式の無線通信９２を確立させる。
【００４２】
携帯電話１０とＭＦＰ５０との間でＷＦＤ方式の無線通信９２若しくは、ＷＦ方式の無線通信９０が確立すると、携帯電話１０は、ＷＦＤ方式の無線通信９２若しくは、ＷＦ方式の無線通信９０によって、スキャン処理の実行指令をＭＦＰ５０に送信する。これにより、ＭＦＰ５０では、スキャナ６２によるスキャン処理が行われる。ＭＦＰ５０でのスキャン処理が完了すると、スキャン処理により生成されたスキャンデータが、ＷＦＤ方式の無線通信９２若しくは、ＷＦ方式の無線通信９０によって、ＭＦＰ５０から携帯電話１０に送信される。そして、携帯電話１０は、スキャンデータをＭＦＰ５０から取得すると、そのスキャンデータをデータ記憶領域１４ａに記憶する。
【００４３】
このように、携帯電話１０をＭＦＰ５０に接近させるだけで、ＭＦＰ５０にスキャン処理を実行させ、そのスキャン処理により生成されたスキャンデータが、携帯電話１０に送信される。一方、携帯電話１０をＭＦＰ５１に接近させた場合には、ＭＦＰ５１にスキャン処理を実行させ、そのスキャン処理により生成されたスキャンデータが、携帯電話１０に送信される。ただし、上述したように、ＭＦＰ５０は、会社に配設されており、ＭＦＰ５０のスキャン処理により生成されたスキャンデータは、機密性を担保した状態で管理することが好ましい。このため、ＭＦＰ５０のスキャン処理により生成されたスキャンデータは、会社内で管理されている第１ストレージサーバ８２に記憶される。一方、ＭＦＰ５１は、自宅に配設されており、ＭＦＰ５１のスキャン処理により生成されたスキャンデータは、ユーザが任意に管理することが可能である。このため、ＭＦＰ５１のスキャン処理により生成されたスキャンデータは、ネットワーク上で事業者によって提供されている第２ストレージサーバ８３若しくは、携帯電話１０のデータ記憶領域１４ａに記憶される。以下に、会社で生成されたスキャンデータの管理および、自宅で生成されたスキャンデータの管理の各々について、詳しく説明する。
【００４４】
＜会社で生成されたスキャンデータの管理＞
会社で生成されたスキャンデータ、つまり、ＭＦＰ５０のスキャン処理により生成されたスキャンデータは、携帯電話１０から第１ストレージサーバ８２に送信されることで、第１ストレージサーバ８２において記憶され、管理される。このため、携帯電話１０は、第１ストレージサーバ８２のＵＲＬ（Uniform Resource Locatorの略）を用いて、第１ストレージサーバ８２とデータ通信を行うことが必要である。しかしながら、第１ストレージサーバ８２のＵＲＬは、機密性の観点から、携帯電話１０には、記憶されていない。このため、携帯電話１０は、第１ストレージサーバ８２のＵＲＬをＭＦＰ５０から取得する。
【００４５】
詳しくは、携帯電話１０は、ＷＦＤ方式の無線通信９２若しくは、ＷＦ方式の無線通信９０を介して、スキャンデータを受信した後に、そのスキャンデータの送信に用いられたＷＦＤ方式の無線通信９２若しくは、ＷＦ方式の無線通信９０によって、第１ストレージサーバ８２のＵＲＬの携帯電話１０への送信要求を、送信する。ＭＦＰ５０には、第１ストレージサーバ８２のＵＲＬが記憶されており、ＭＦＰ５０は、携帯電話１０から第１ストレージサーバ８２の送信要求を受信した場合には、送信要求に対する返信として、携帯電話１０に第１ストレージサーバ８２のＵＲＬを送信する。一方、ＭＦＰ５１には、第１ストレージサーバ８２のＵＲＬが記憶されておらず、ＭＦＰ５１は、携帯電話１０から第１ストレージサーバ８２の送信要求を受信しても、送信要求に対して返信を行わない。これにより、携帯電話１０は、ＭＦＰ５０とＷＦＤ方式の無線通信９２若しくは、ＷＦ方式の無線通信９０を行っている際には、第１ストレージサーバ８２のＵＲＬを取得するが、ＭＦＰ５１とＷＦＤ方式の無線通信９２若しくは、ＷＦ方式の無線通信９０を行っている際には、第１ストレージサーバ８２のＵＲＬを取得しない。
【００４６】
そして、携帯電話１０は、第１ストレージサーバ８２のＵＲＬを取得すると、そのＵＲＬを、一旦、データ記憶領域１４ａに記憶する。そして、そのＵＲＬを用いて、第１ストレージサーバ８２との接続を確立し、スキャンデータを、ＷＦ方式の無線通信９０によって、第１アクセスポイント８０を介して第１ストレージサーバ８２に送信する。これにより、会社で生成されたスキャンデータ、つまり、ＭＦＰ５０のスキャン処理により生成されたスキャンデータが、第１ストレージサーバ８２において、記憶され、管理される。なお、スキャンデータは、第１ストレージサーバ８２に送信されると、データ記憶領域１４ａから削除される。これにより、スキャンデータの機密性を担保することが可能となる。さらに、第１ストレージサーバ８２のＵＲＬも、スキャンデータの送信処理が完了すると、データ記憶領域１４ａから削除される。これにより、第１ストレージサーバ８２のＵＲＬの機密性も担保することが可能となる。
【００４７】
＜自宅で生成されたスキャンデータの管理＞
一方、自宅で生成されたスキャンデータ、つまり、ＭＦＰ５１のスキャン処理により生成されたスキャンデータは、第２ストレージサーバ８３、若しくは、携帯電話１０において記憶され、管理される。詳しくは、携帯電話１０では、ＭＦＰ５１からのスキャンデータを受信すると、そのスキャンデータを第２ストレージサーバ８３に記憶するか、携帯電話１０に記憶するかを選択するための選択画像が、携帯電話１０のパネル２２に表示される。
【００４８】
この際、ユーザが、スキャンデータを第２ストレージサーバ８３に記憶する旨の選択を行った場合には、スキャンデータが、携帯電話１０から第２ストレージサーバ８３に送信され、第２ストレージサーバ８３において記憶される。具体的には、携帯電話１０のデータ記憶領域１４ａには、第２ストレージサーバ８３のＵＲＬが記憶されており、携帯電話１０は、第２ストレージサーバ８３のＵＲＬを用いて、第２ストレージサーバ８３との接続を確立する。そして、携帯電話１０は、スキャンデータを、携帯電話方式の無線通信９６によって、基地局８４を介して第２ストレージサーバ８３に送信する。これにより、自宅で生成されたスキャンデータ、つまり、ＭＦＰ５１のスキャン処理により生成されたスキャンデータが、第２ストレージサーバ８３において、記憶され、管理される。
【００４９】
一方、ユーザが、スキャンデータを携帯電話１０に記憶する旨の選択を行った場合には、スキャンデータが、データ記憶領域１４ａに記憶される。これにより、自宅で生成されたスキャンデータ、つまり、ＭＦＰ５１のスキャン処理により生成されたスキャンデータが、携帯電話１０において、管理される。
【００５０】
＜取得したスキャンデータの生成元の判断＞
携帯電話１０では、上述したように、取得したスキャンデータの生成元、つまり、スキャンデータがＭＦＰ５０により生成されたデータであるか、ＭＦＰ５１で生成されたデータであるかに応じて、スキャンデータの記憶先が決定される。このため、携帯電話１０では、取得したスキャンデータが、ＭＦＰ５０とＭＦＰ５１との何れの装置で生成されたかを判断する必要がある。そこで、携帯電話１０では、携帯電話の位置情報、ＷＦ方式の無線通信９０若しくは、ＷＦＤ方式の無線通信９２を確立する際に用いられたＳＳＩＤ，第１ストレージサーバ８２のＵＲＬの有無の３つの手法により、取得したスキャンデータが、ＭＦＰ５０とＭＦＰ５１との何れの装置で生成されたかが判断される。
【００５１】
まず、携帯電話の位置情報を用いた判断手法について説明する。携帯電話１０は、上述したように、ＧＰＳ衛星９８からの信号を受信するＧＰＳ信号受信部１５を有しており、携帯電話１０の位置情報を取得することが可能である。このＧＰＳ機能を利用して、スキャンデータを受信した際の携帯電話１０の位置情報を、取得する。データ記憶領域１４ａには、会社の位置情報と自宅の位置情報とが記憶されており、それらの位置情報と携帯電話１０の位置情報とを比較することで、取得したスキャンデータが、ＭＦＰ５０とＭＦＰ５１との何れの装置で生成されたかが判断される。つまり、携帯電話１０の位置情報と会社の位置情報とが近似している場合には、取得したスキャンデータはＭＦＰ５０で生成されたデータであり、携帯電話１０の位置情報と自宅の位置情報とが近似している場合には、取得したスキャンデータはＭＦＰ５１で生成されたデータであると判断される。
【００５２】
次に、ＳＳＩＤを用いた判断手法について説明する。携帯電話１０は、上述したように、ＷＦ方式の無線通信９０若しくは、ＷＦＤ方式の無線通信９２を確立するためにＭＦＰ５０若しくは、ＭＦＰ５１からＳＳＩＤを取得する。ＳＳＩＤは、装置毎に異なっており、ＭＦＰ５１のＳＳＩＤとＭＦＰ５０のＳＳＩＤとは異なっている。このため、無線通信９０等を確立するために取得したＳＳＩＤを利用することで、取得したスキャンデータが、ＭＦＰ５０とＭＦＰ５１との何れの装置で生成されたかが判断される。詳しくは、データ記憶領域１４ａには、ＭＦＰ５１のＳＳＩＤとＭＦＰ５０のＳＳＩＤとが記憶されており、それらのＳＳＩＤと、無線通信９０等の接続時に取得したＳＳＩＤとが比較される。そして、取得したＳＳＩＤがＭＦＰ５０のＳＳＩＤと一致した場合には、取得したスキャンデータはＭＦＰ５０で生成されたデータであり、取得したＳＳＩＤがＭＦＰ５１のＳＳＩＤと一致した場合には、取得したスキャンデータはＭＦＰ５１で生成されたデータであると判断される。
【００５３】
次に、第１ストレージサーバ８２のＵＲＬを用いた判断手法について説明する。携帯電話１０には、上述したように、第１ストレージサーバ８２のＵＲＬは、常時、記憶されておらず、スキャンデータを第１ストレージサーバ８２に送信する際にのみ、ＭＦＰ５０から一時的に取得される。つまり、携帯電話１０に第１ストレージサーバ８２のＵＲＬが記憶されている場合には、取得したスキャンデータはＭＦＰ５０で生成されたデータであり、携帯電話１０に第１ストレージサーバ８２のＵＲＬが記憶されていない場合には、取得したスキャンデータはＭＦＰ５１で生成されたデータであると判断される。
【００５４】
上述したように、携帯電話１０では、スキャンデータを生成した装置が自動で判定され、スキャンデータを生成した装置に応じたストレージサーバ等に、スキャンデータが記憶される。これにより、ユーザは、スキャンデータの記憶先を選択することなく、スキャンデータを記憶させることが可能となり、操作性が向上する。また、ユーザによるスキャンデータの記憶先の誤選択を無くすことが可能となり、機密性を確実に担保することが可能となる。特に、会社で生成されたスキャンデータは、携帯電話１０がスキャンデータを受信すると、自動で第１ストレージサーバ８２に送信されることから、非常に高い機密性が担保される。一方で、自宅で生成されたスキャンデータは、ユーザの意思に従って、第２ストレージサーバ８３に送信するか、携帯電話１０に記憶するかを選択することが可能であり、利便性が高い。
【００５５】
＜スキャンアプリケーション＞
上述したスキャン処理および、スキャンデータの管理は、スキャンアプリケーション３２ａが携帯電話１０のＣＰＵ１２によって実行されることで行われる。以下に、図２及び図３を用いて、ＭＦＰ５０、若しくは、ＭＦＰ５１にスキャン処理を実行させるとともに、スキャン処理を実行した装置に応じたスキャンデータの管理を行うためのフローを説明する。
【００５６】
携帯電話１０がＭＦＰ５０、若しくは、ＭＦＰ５１に接近させられ、ＮＦＣ方式の無線通信９４が確立すると、図に示すフローの処理が開始される。まず、Ｓ１００において、ＣＰＵ１２は、＜携帯電話を用いたＭＦＰによるスキャン処理＞に記載されているように、携帯電話１０のＳＳＩＤを、ＮＦＣ方式の無線通信９４を用いてＭＦＰ５０に送信するためのデータを、ＯＳ３２ｂを介して出力する。そして、Ｓ１０２に進む。Ｓ１０２において、ＣＰＵ１２は、無線通信９４を用いてＭＦＰ５０、若しくは、ＭＦＰ５１から送信されたＭＦＰ５０のＳＳＩＤを、ＯＳ３２ｂを介して取得する。そして、Ｓ１０４に進む。
【００５７】
Ｓ１０４において、ＣＰＵ１２は、ＷＦ方式の無線通信９０若しくは、ＷＦＤ方式の無線通信９２をＭＦＰ５０、若しくは、ＭＦＰ５１との間で確立させるためのデータを、ＯＳ３２ｂを介して出力する。そして、Ｓ１０６に進む。Ｓ１０６において、ＣＰＵ１２は、スキャン処理の実行指令を、ＷＦ方式の無線通信９０若しくは、ＷＦＤ方式の無線通信９２を用いて、ＭＦＰ５０、若しくは、ＭＦＰ５１に送信するためのデータを、ＯＳ３２ｂを介して出力する。そして、Ｓ１０８に進む。
【００５８】
Ｓ１０８において、ＣＰＵ１２は、ＷＦ方式の無線通信９０若しくは、ＷＦＤ方式の無線通信９２を用いて、ＭＦＰ５０、若しくは、ＭＦＰ５１から送信されたスキャンデータを、ＯＳ３２ｂを介して取得し、取得したスキャンデータをデータ記憶領域１４ａに記憶するためのデータを、ＯＳ３２ｂを介して出力する。そして、Ｓ１１０に進む。Ｓ１１０において、ＣＰＵ１２は、第１ストレージサーバ８２のＵＲＬを携帯電話１０に送信する旨の要求を、ＷＦ方式の無線通信９０若しくは、ＷＦＤ方式の無線通信９２を用いてＭＦＰ５０、若しくは、ＭＦＰ５１に送信するためのデータを、ＯＳ３２ｂを介して出力する。そして、Ｓ１１１に進む。
【００５９】
Ｓ１１１において、ＣＰＵ１２は、携帯電話１０から第１ストレージサーバ８２のＵＲＬを取得したか否かを判断する。第１ストレージサーバ８２のＵＲＬを取得した場合（Ｓ１１１：ＹＥＳ）には、Ｓ１１２に進む。Ｓ１１２において、ＣＰＵ１２は、取得した第１ストレージサーバ８２のＵＲＬをデータ記憶領域１４ａに記憶するためのデータを、ＯＳ３２ｂを介して出力する。そして、Ｓ１１３に進む。一方、第１ストレージサーバ８２のＵＲＬを取得していない場合（Ｓ１１１：ＮＯ）には、Ｓ１１２の処理をスキップして、Ｓ１１３に進む。
【００６０】
Ｓ１１３において、ＣＰＵ１２は、携帯電話１０の位置情報を、ＯＳ３２ｂを介して、取得する。そして、Ｓ１１４に進む。Ｓ１１４において、ＣＰＵ１２は、＜取得したスキャンデータの生成元の判断＞に記載されているように、取得したスキャンデータが、会社で生成されたデータであるか否かを判定する。詳しくは、Ｓ１１２で取得した携帯電話１０の位置情報に基づく位置と、データ記憶領域１４ａに記憶されている会社の位置情報に基づく位置とが近似している場合に、取得したスキャンデータが会社で生成されたデータであると判定される。また、Ｓ１０２で取得したＳＳＩＤと、データ記憶領域１４ａに記憶されているＭＦＰ５０のＳＳＩＤとが一致した場合に、取得したスキャンデータが会社で生成されたデータであると判定される。また、Ｓ１１０で送信された要求に対する返信、つまり、第１ストレージサーバ８２のＵＲＬを受信している場合に、取得したスキャンデータが会社で生成されたデータであると判定される。
【００６１】
取得したスキャンデータが会社で生成されたデータである場合（Ｓ１１４：ＹＥＳ）には、Ｓ１１６に進む。Ｓ１１６において、ＣＰＵ１２は、取得した第１ストレージサーバ８２のＵＲＬを用いて、第１ストレージサーバ８２に接続するためのデータを、ＯＳ３２ｂを介して出力する。携帯電話１０が第１ストレージサーバ８２に接続されると、ＣＰＵ１２は、スキャンデータを、ＷＦ方式の無線通信９０を用いて、第１ストレージサーバ８２に送信するためのデータを、ＯＳ３２ｂを介して出力する。そして、Ｓ１１７に進む。Ｓ１１７において、ＣＰＵ１２は、データ記憶領域１４ａに記憶されたスキャンデータを削除するためのデータを、ＯＳ３２ｂを介して、出力する。そして、Ｓ１１８に進む。Ｓ１１８において、ＣＰＵ１２は、データ記憶領域１４ａに記憶された第１ストレージサーバ８２のＵＲＬを削除するためのデータを、ＯＳ３２ｂを介して、出力する。そして、スキャンアプリケーション３２ａの処理が終了する。
【００６２】
また、取得したスキャンデータが自宅で生成されたデータである場合（Ｓ１１４：ＮＯ）には、Ｓ１２０に進む。Ｓ１２０において、ＣＰＵ１２は、スキャンデータを第２ストレージサーバ８３に送信するか、携帯電話１０に記憶させるかを選択するための画像をパネル２２に表示するためのデータを、ＯＳ３２ｂを介して出力する。そして、Ｓ１２２に進む。Ｓ１２２において、ＣＰＵ１２は、ユーザがスキャンデータを第２ストレージサーバ８３に送信する旨の選択をしたか否かを判定する。
【００６３】
ユーザがスキャンデータを第２ストレージサーバ８３に送信する旨の選択をした場合（Ｓ１２２：ＹＥＳ）には、Ｓ１２４に進む。Ｓ１２４において、ＣＰＵ１２は、データ記憶領域１４ａに記憶されている第２ストレージサーバ８３のＵＲＬを用いて、第２ストレージサーバ８３に接続するためのデータを、ＯＳ３２ｂを介して出力する。携帯電話１０が第２ストレージサーバ８３に接続されると、ＣＰＵ１２は、スキャンデータを、携帯電話方式の無線通信９６を用いて、第２ストレージサーバ８３に送信するためのデータを、ＯＳ３２ｂを介して出力する。そして、スキャンアプリケーション３２ａの処理が終了する。
【００６４】
また、ユーザがスキャンデータを携帯電話１０に記憶する旨の選択をした場合（Ｓ１２２：ＮＯ）には、Ｓ１２６に進む。Ｓ１２６において、ＣＰＵ１２は、スキャンデータをデータ記憶領域１４ａに記憶するためのデータを、ＯＳ３２ｂを介して出力する。そして、スキャンアプリケーション３２ａの処理が終了する。
【００６５】
＜第２実施形態＞
第２実施形態に係る通信システム１の動作を説明する。なお、第２実施形態における通信システム１の構成は、第１実施形態における通信システム１の構成と同じであるため、第２実施形態における通信システム１の構成の説明は省略する。
【００６６】
第１実施形態の通信システム１では、会社で生成されたスキャンデータ、つまり、ＭＦＰ５０によって生成されたスキャンデータが、ＭＦＰ５０から携帯電話１０に送信され、携帯電話１０によって第１ストレージサーバ８２に送信されているが、第２実施形態の通信システム１では、ＭＦＰ５０によって第１ストレージサーバ８２に送信される。詳しくは、携帯電話１０のＭＦＰ５０への接近により、ＮＦＣ方式の無線通信９４を利用したスキャン処理が、ＭＦＰ５０によって実行される。この際、携帯電話１０は、スキャン処理により生成されたスキャンデータを第１ストレージサーバ８２に送信する旨の指令を、ＷＦ方式の無線通信９０若しくは、ＷＦＤ方式の無線通信９２によって、ＭＦＰ５０に送信する。ＭＦＰ５０は、第１ストレージサーバ８２のＵＲＬを記憶しており、携帯電話１０からの送信指令を受信すると、第１ストレージサーバ８２のＵＲＬを用いて、第１ストレージサーバ８２に接続する。そして、ＭＦＰ５０は、スキャンデータを、ＷＦ方式の無線通信９０によって、第１ストレージサーバ８２に送信する。つまり、第２実施形態の通信システム１では、スキャンデータが、ＭＦＰ５０から、携帯電話１０を介することなく、第１ストレージサーバ８２に送信される。これにより、会社で生成されたスキャンデータが、ＭＦＰ５０以外の装置、例えば、ＭＦＰ５１，第２ストレージサーバ８３等と接続する可能性が高い携帯電話１０に残ることが無く、第１ストレージサーバ８２において管理されるため、安全である。
【００６７】
また、第２実施形態の通信システム１では、携帯電話１０が、スキャンデータを第１ストレージサーバ８２に送信しないため、第１ストレージサーバ８２のＵＲＬを必要としない。つまり、携帯電話１０が、第１ストレージサーバ８２のＵＲＬを取得することは無い。このため、第２実施形態では、スキャンデータがＭＦＰ５０とＭＦＰ５１との何れの装置で生成されたかが、携帯電話の位置情報、若しくは、ＷＦ方式の無線通信９０若しくは、ＷＦＤ方式の無線通信９２を確立する際に用いられたＳＳＩＤに基づいて、判断される。
【００６８】
なお、自宅で生成されたスキャンデータ、つまり、ＭＦＰ５１によって生成されたスキャンデータは、第１実施形態と同様に、ユーザの選択により、第２ストレージサーバ８３に送信されるか、携帯電話１０に記憶され、管理される。
【００６９】
第２実施形態での上記スキャン処理および、スキャンデータの管理は、図４および図５に示すフローがＣＰＵ１２によって実行されることで行われる。以下に、図４および図５に示すフローについて説明するが、本フローは、図２および図３に示すフローと共通する箇所が多いため、共通する箇所に関しては、簡略に説明する。
【００７０】
携帯電話１０がＭＦＰ５０若しくは、ＭＦＰ５１に接近させられ、ＮＦＣ方式の無線通信９４が確立すると、図４および図５に示すフローの処理が開始される。Ｓ２００〜Ｓ２１０において、ＣＰＵ１２は、図２に示すフローのＳ１００〜Ｓ１０４，Ｓ１１３と同じ処理を実行する。そして、Ｓ２１２に進む。Ｓ２１２において、ＣＰＵ１２は、スキャンデータが、会社で生成されたデータであるか否かを判定する。
【００７１】
詳しくは、Ｓ２１０で取得した携帯電話１０の位置情報に基づく位置と、データ記憶領域１４ａに記憶されている会社の位置情報に基づく位置とが近似している場合に、スキャンデータが会社で生成されたデータであると判定される。また、Ｓ２０２で取得したＳＳＩＤと、データ記憶領域１４ａに記憶されているＭＦＰ５０のＳＳＩＤとが一致した場合に、スキャンデータが会社で生成されたデータであると判定される。
【００７２】
スキャンデータが会社で生成されたデータである場合（Ｓ２１２：ＹＥＳ）には、Ｓ２１４に進む。Ｓ２１４において、ＣＰＵ１２は、スキャン処理の実行指令、および、スキャンデータを第１ストレージサーバ８２に送信する旨の指令を、ＷＦ方式の無線通信９０若しくは、ＷＦＤ方式の無線通信９２を用いて、ＭＦＰ５０に送信するためのデータを、ＯＳ３２ｂを介して出力する。そして、本フローの処理が終了する。
【００７３】
一方、スキャンデータが自宅で生成されたデータである場合（Ｓ２１２：ＮＯ）には、Ｓ２１６に進む。Ｓ２１６，Ｓ２１８，Ｓ２２２において、ＣＰＵ１２は、図３に示すフローのＳ１２０，Ｓ１２２，Ｓ１２６と同じ処理を実行する。また、Ｓ２１８で送信処理が選択された場合（Ｓ２１８：ＹＥＳ）には、Ｓ２１９に進む。Ｓ２１９において、ＣＰＵ１２は、スキャン処理の実行指令を、ＷＦ方式の無線通信９０若しくは、ＷＦＤ方式の無線通信９２を用いて、ＭＦＰ５０、若しくは、ＭＦＰ５１に送信するためのデータを、ＯＳ３２ｂを介して出力する。そして、Ｓ２２０に進む。Ｓ２２０において、ＣＰＵ１２は、ＷＦ方式の無線通信９０若しくは、ＷＦＤ方式の無線通信９２を用いて、ＭＦＰ５０、若しくは、ＭＦＰ５１から送信されたスキャンデータを、ＯＳ３２ｂを介して取得し、取得したスキャンデータをデータ記憶領域１４ａに記憶するためのデータを、ＯＳ３２ｂを介して出力する。そして、Ｓ２２１に進む。Ｓ２２１において、ＣＰＵ１２は、図３に示すフローのＳ１２４と同じ処理を実行する。そして、本フローの処理が終了する。
【００７４】
＜変形例＞
本実施形態では、会社で生成されたスキャンデータは、会社内で管理されている第１ストレージサーバ８２に記憶されるが、ネットワーク上で事業者によって提供されるストレージサーバに記憶されてもよい。
【００７５】
また、本実施形態では、スキャン指示の指令が、ＷＦ方式の無線通信９０、若しくは、ＷＦＤ方式の無線通信９２を用いて送信されるが、ＮＦＣ方式の無線通信９４を用いて送信されてもよい。
【００７６】
また、本実施形態では、第１ストレージサーバ８２のＵＲＬが、一旦、データ記憶領域１４ａに記憶された後に、削除されているが、ＵＲＬを記憶している領域を、有効な情報が記憶されていない状態にし、他の情報で上書き可能にしてもよい。
【００７７】
また、ＭＦＰ５０にスキャン指令を送信する携帯端末は、携帯電話１０に限られず、タブレット機器，スマートフォンなどでもよい。
【００７８】
また、携帯端末からのスキャン指令に従ってスキャン処理を行う装置は、ＭＦＰ５０、若しくはＭＦＰ５１に限られず、スキャン可能な装置であれば限定されない。
【００７９】
また、本実施形態では、近接無線通信として、ＮＦＣ方式の無線通信が採用されているが、ＴｒａｎｓｆｅｒＪｅｔ(R)（ソニー株式会社の登録商標）方式等の無線通信を採用することも可能である。この場合、ハンドオーバ処理により確立される無線通信は、ＴｒａｎｓｆｅｒＪｅｔ方式の無線通信より高速な、種々の無線通信方式を採用することが可能である。この場合、ハンドオーバ処理により確立される無線通信は、ＴｒａｎｓｆｅｒＪｅｔ方式の無線通信より通信可能距離が長い、種々の無線通信方式を採用することが可能である。
【００８０】
本実施例の携帯電話１０では、スキャンアプリケーション３２ａに基づいて実行するＣＰＵ１２が、各種の処理を行う場合を説明した。しかし、この形態に限られない。スキャンアプリケーション３２ａに基づいて実行するＣＰＵ１２が、ＯＳ３２ｂ、他のシステム、ハード構成に対して、各種の処理を行わせる指示を出す形態であってもよい。
【００８１】
また、上記実施例では、スキャンアプリケーション３２ａの実行により図２および図３に示すフローが実行されるが、そのフローにおいて、Ｓ１００〜Ｓ１０４，Ｓ１０８〜Ｓ１１２，Ｓ１１７〜Ｓ１２６の処理を行わないことも可能である。また、図４よび図５に示すフローにおいて、Ｓ２００〜Ｓ２１０，Ｓ２１６〜Ｓ２２２の処理を行わないことも可能である。なお、上記ステップの全ての処理を行わないのではなく、上記ステップのうち、いずれかのステップの処理を任意に加えたフローとすることも可能である。
【００８２】
また、本明細書または図面に説明した技術要素は、単独であるいは各種の組み合わせによって技術的有用性を発揮するものであり、出願時請求項記載の組み合わせに限定されるものではない。また、本明細書または図面に例示した技術は複数目的を同時に達成するものであり、そのうちの一つの目的を達成すること自体で技術的有用性を持つものである。
【００８３】
携帯電話１０は携帯端末の一例である。ＣＰＵ１２は、コンピュータおよびプロセッサの一例である。無線ＬＡＮＩ／Ｆ１８は長距離無線通信部の一例である。ＮＦＣＩ／Ｆ２０は近接無線通信部の一例である。パネル２２は、表示部の一例である。スキャンアプリケーション３２ａはプログラムの一例である。ＭＦＰ５０は第１のスキャン装置の一例である。ＭＦＰ５１は、第２のスキャン装置の一例である。第１ストレージサーバ８２は、第１のストレージサーバの一例である。第２ストレージサーバ８３は、第２のストレージサーバの一例である。ＧＰＳ衛星９８は、人工衛星の一例である。
【００８４】
Ｓ１０６，Ｓ２１９を実行するＣＰＵ１２は、スキャン指令出力手段の一例である。Ｓ１１４，Ｓ２１２を実行するＣＰＵ１２は、送信先判断手段の一例である。Ｓ１１６，Ｓ２１４を実行するＣＰＵ１２は、第１処理実行手段の一例である。Ｓ１１０を実行するＣＰＵ１２は、送信要求出力手段の一例である。Ｓ１１２を実行するＣＰＵ１２は、送信情報記憶制御手段の一例である。Ｓ１１８を実行するＣＰＵ１２は、送信情報無効化手段の一例である。Ｓ１１３，Ｓ２１０を実行するＣＰＵ１２は、携帯端末位置取得手段の一例である。Ｓ１０２，Ｓ２０２を実行するＣＰＵ１２は、識別情報取得手段の一例である。Ｓ１２４，Ｓ１２６，Ｓ２２１，Ｓ２２２を実行するＣＰＵ１２は、第２処理実行手段の一例である。Ｓ１２０，Ｓ２１６を実行するＣＰＵ１２は、画像表示手段の一例である。
【００８５】
なお、各プログラムは一つのプログラムモジュールから構成されるものであってもよいし、複数のプログラムモジュールから構成されるものであってもよい。また、各一例は置換可能な他の構成であってもよく、本発明の範疇である。プログラム（スキャンアプリケーション３２ａなど）に基づく処理を実行するコンピュータ（ＣＰＵ１２）であってもよいし、オペレーティングシステムや他のアプリケーション、プログラムなど、スキャンアプリケーション３２ａ以外のプログラムに基づく処理を実行するコンピュータであってもよいし、コンピュータの指示に従って動作するハード構成（パネル２２など）であってもよいし、コンピュータとハード構成とが連動した構成であってもよい。もちろん、複数のプログラムに基づく処理を連動させて処理を実行するコンピュータであってもよいし、複数のプログラムに基づく処理を連動させて処理を実行するコンピュータの指示に従って動作するハード構成であってもよい。
【００８６】
さらに、本発明の範疇であるプログラムは、ｎｏｎ−ｔｒａｎｓｉｔｏｒｙな記録媒体に記録されて提供されてもよい。ｎｏｎ−ｔｒａｎｓｉｔｏｒｙな記録媒体は、ＣＤ−ＲＯＭ、ＤＶＤ−ＲＯＭ等の他、通信ネットワークを介して携帯電話１０或いはＭＦＰ５０，５１に接続可能なサーバ装置に搭載された記憶部を含んでもよい。そして、サーバ装置の記憶部に記憶されたプログラムは、当該プログラムを示す情報或いは信号として、インターネット等の通信ネットワークを介して配信されてもよい。
【符号の説明】
【００８７】
１０：携帯電話、１２：ＣＰＵ、１８：無線ＬＡＮＩ／Ｆ、２０：ＮＦＣＩ／Ｆ、２２：パネル、３２ａ：スキャンアプリケーション、５０：ＭＦＰ、５１：ＭＦＰ、８２：第１ストレージサーバ、８３：第２ストレージサーバ、９８：ＧＰＳ衛星
【図１】
2015084472.tif 000003
【図２】
2015084472.tif 000004
【図３】
2015084472.tif 000005
【図４】
2015084472.tif 000006
【図５】
2015084472.tif 000007